(57)【要約】【課題】一纏めにすると嵩張るような医療器具であっても、一度に数多く接続することができ、洗浄水により管路内を確実に洗浄することで、二次感染を予防することができる医療器具の洗浄装置およびそれに用いられる接続管並びに医療器具の洗浄方法を提供する。【解決手段】管路を有する医療器具であるオリーフＰを洗浄する洗浄装置１において、このオリーフＰを浸漬する洗浄水を貯留する洗浄槽３と、洗浄槽３に設けられた器具接続アダプタ７から洗浄水を吸引する吸引ポンプ５と、器具接続アダプタ７の接続管７２に接続されたオリーフＰ１に、６本のオリーフＰ２〜Ｐ７のそれぞれの間に挿入されて連通した状態で縦続接続する接続管７２とを備えた。【選択図】図２
2009000359.tif 000002
【特許請求の範囲】
【請求項１】
管路を有する医療器具を洗浄する洗浄装置において、
前記医療器具を浸漬する洗浄水を貯留する洗浄槽と、
前記洗浄槽に設けられた吸引部から前記洗浄水を吸引する吸引ポンプと、
前記吸引部に接続された前記医療器具に、１以上の医療器具を連通して縦続接続する１以上の接続管とを備えたことを特徴とする医療器具の洗浄装置。
【請求項２】
管路を有する医療器具を浸漬する洗浄水を貯留する洗浄槽と、前記洗浄槽に設けられた吸引部から前記洗浄水を吸引する吸引ポンプとを備えた医療器具の洗浄装置に用いる接続管であって、
前記吸引部に接続された前記医療器具に、１以上の医療器具を連通して縦続接続するために１以上設けられていることを特徴とする医療器具の洗浄装置に用いられる接続管。
【請求項３】
前記医療器具の外側に嵌る一端側と、当該医療器具に縦続接続される医療器具の外側に嵌る他端側とが、異なる開口径に形成されていることを特徴とする請求項２記載の医療器具の洗浄装置に用いられる接続管。
【請求項４】
前記一端側となる第１の接続部と、前記他端側となる第２の接続部と、前記第１の接続部および第２接続部を接続する中間接続部とを備えたことを特徴とする請求項３記載の医療器具の洗浄装置に用いられる接続管。
【請求項５】
洗浄水を貯留する洗浄槽と、前記洗浄槽に設けられた吸引部から前記洗浄水を吸引する吸引ポンプとを備えた洗浄装置に、管路を有する医療器具を浸漬し、前記吸引部に前記医療器具を接続する工程と、
前記吸引部に接続された前記医療器具に、１以上の医療器具を接続管により連通させて縦続接続する工程と、
前記吸引ポンプを稼働させて、前記洗浄水を吸引して縦続接続された医療器具の管路内を洗浄する工程とを含むことを特徴とする医療器具の洗浄方法。
【発明の詳細な説明】
【技術分野】
【０００１】
本発明は、管路を有する医療器具を、一度に数多く洗浄することができる医療器具の洗浄装置およびそれに用いられる接続管並びに医療器具の洗浄方法に関する。
【背景技術】
【０００２】
管路を有する医療器具としては、例えば、腹部などを切開して手術する際に使用される外科用手術器具がある。この外科用手術器具は、手術した後には管路内に、血液や粘液などの付着物が付着するので、術後に確実に洗浄しなければ、次に使用されるときに患者に二次感染するおそれがある。このような医療器具を洗浄する洗浄装置が、例えば、特許文献１に記載されている。
【０００３】
この特許文献１に記載の外科手術器具の洗浄装置は、外科手術器具を浸漬する洗浄水が貯留される洗浄槽と、細管の先端に負圧を印加し、外科手術器具の複数本の管路から洗浄水を吸引して細管を通過させる負圧発生装置とを備えたものである。
【０００４】
また、医療器具として口腔吸引用等の医療用チューブを洗浄する装置が特許文献２に記載されている。この特許文献２には、連結具が複数個収容できる容積を有したアダプト容器を温水および温風が圧送される配管に連結すると共に、アダプト容器に着脱自在に被せられる蓋体に弾性キャップを設け、弾性キャップに複数本の医療用チューブを挿通し得る透孔を形成した医療用チューブ洗浄装置が記載されている。
【０００５】
【特許文献１】特開２００６−８１８２９号公報
【特許文献２】特開２００５−１３５１１号公報
【発明の開示】
【発明が解決しようとする課題】
【０００６】
特許文献２に記載の医療用チューブ洗浄装置は、一度に複数本の医療用チューブが洗浄できるので、短時間に多くの医療用チューブの洗浄を完了させることができるものである。
【０００７】
しかし、特許文献２に記載の医療用チューブ洗浄装置は、弾性キャップに複数本の医療用チューブを挿通することで保持しているので、被洗浄物である医療器具が硬質で、厚みがあったり、幅があったりするものであれば、弾性キャップの開口の直径の大きさに制限され、数多くの医療器具を一度に洗浄することができない。従って、一纏めしたときに嵩張るような医療器具を、一度に数多く洗浄できるような洗浄装置が望まれている。
【０００８】
そこで本発明は、一纏めにすると嵩張るような医療器具であっても、一度に数多く接続することができ、洗浄水により管路内を確実に洗浄することで、二次感染を予防することができる医療器具の洗浄装置およびそれに用いられる接続管並びに医療器具の洗浄方法を提供することを目的とする。
【課題を解決するための手段】
【０００９】
本発明の洗浄装置は、管路を有する医療器具を洗浄する洗浄装置において、前記医療器具を浸漬する洗浄水を貯留する洗浄槽と、前記洗浄槽に設けられた吸引部から前記洗浄水を吸引する吸引ポンプと、前記吸引部に接続された前記医療器具に、１以上の医療器具を連通して縦続接続する１以上の接続管とを備えたことを特徴とする。
【００１０】
また、本発明の医療器具の洗浄装置に用いる接続管は、管路を有する医療器具を浸漬する洗浄水を貯留する洗浄槽と、前記洗浄槽に設けられた吸引部から前記洗浄水を吸引する吸引ポンプとを備えた医療器具の洗浄装置に用いる接続管であって、前記吸引部に接続された前記医療器具に、１以上の医療器具を連通して縦続接続するために１以上設けられていることを特徴とする。
【００１１】
また、本発明の医療器具の洗浄方法は、洗浄水を貯留する洗浄槽と、前記洗浄槽に設けられた吸引部から前記洗浄水を吸引する吸引ポンプとを備えた洗浄装置に、管路を有する医療器具を浸漬し、前記吸引部に前記医療器具を接続する工程と、前記吸引部に接続された前記医療器具に、１以上の医療器具を接続管により連通させて縦続接続する工程と、前記吸引ポンプを稼働させて、前記洗浄水を吸引して縦続接続された医療器具の管路内を洗浄する工程とを含むことを特徴とする。
【００１２】
被洗浄物である管路を有する医療器具を、洗浄水を貯留する洗浄槽に配置して、吸引部に接続する。次に、吸引部に接続された医療器具に、１以上の医療器具を接続管により連通して縦続接続する。そうすることで、吸引部には１つの医療器具しか接続できなくても、また一纏めにすると嵩張るようなものであっても、複数の医療器具を数珠繋ぎに接続することで、数多く接続することができる。そして、吸引ポンプにより吸引部から洗浄水を吸引することで、数珠繋ぎに縦続接続された医療器具の管路内を洗浄水が通過するので、接続された全ての医療器具の管路内を洗浄することができる。
【００１３】
この本発明の接続管は、前記医療器具の外側に嵌る一端側と、当該医療器具に縦続接続される医療器具の外側に嵌る他端側とが異なる開口径に形成するのが望ましい。そうすることで、縦続接続される医療器具が異なる大きさのものであっても、接続管の両端にそれぞれに嵌め込むことができるので、医療器具の形状に制限されることなく縦続接続することができる。
【００１４】
接続管の一端側と他端側とで開口径が異なるようにするときには、前記一端側となる第１の接続部と、前記他端側となる第２の接続部と、前記第１の接続部および第２接続部を接続する中間接続部とを備えるようにする。第１の接続部および第２接続部を軟質部材とし、その間を接続する中間接続部を硬質部材とすることで、接続する医療器具に応じて第１の接続部および第２接続部を付け替えて使用することができる。
【発明の効果】
【００１５】
本発明は、数珠繋ぎに縦続接続された医療器具の管路内を洗浄水を通過させて、管路内を洗浄することができるので、一度に多くの医療器具を接続して洗浄水により管路内を確実に洗浄することで、二次感染を予防することができる。
【発明を実施するための最良の形態】
【００１６】
本実施の形態に係る医療器具の洗浄装置を、図面に基づいて説明する。図１は、本発明の実施の形態に係る医療器具の洗浄装置の外観図であり、（Ａ）は平面図、（Ｂ）は正面図、（Ｃ）は右側面図である。図２は、図１に示す洗浄装置の内部の状態を示す平面図である。図３は、図１に示す洗浄装置の内部の状態を示す正面図である。図４は、図１に示す洗浄装置の内部の状態を示す右側面図である。図５は、液位監視装置を示す斜視図である。図６は、器具接続アダプタ７を示す図であり、（Ａ）は正面側から見た斜視図、（Ｂ）は背面側から見た斜視図である。図７は、接続管とオリーフとが縦続接続した状態を示す平面図である。
【００１７】
図１（Ａ）から同図（Ｃ）に示すように洗浄装置１は、洗浄水によって医療器具に形成された管路内を洗浄する装置である。
洗浄装置１は、手術の際に患者の切開した腹部などに挿入する外科用手術器具である鉗子や、治療の際に口腔や鼻孔に挿入する吸引嘴管などを洗浄することが可能であるが、本実施の形態では、被洗浄物として、耳鼻科にて医師が患者の鼻孔に先端を挿入して、鼻汁などを吸引するオリーフを例に説明する。なお、本明細書中では、洗剤を含む水の他に、洗剤を用いる前の予備洗浄に使用する水や、すすぎを行う際の水を含めて洗浄水と称している。
【００１８】
洗浄装置１は、高さが約３２０ｍｍ、幅が約７３０ｍｍ、奥行き約５００ｍｍの箱状に形成された装置本体２に、透明部材２１ａが嵌め込まれ、逆Ｕ字状に形成された把手２１ｂが前部に設けられた蓋部２１が設けられている。この蓋部２１は、装置本体２に蝶番２１ｃを介して回動可能に設けられている。
【００１９】
装置本体２の上面には、蓋部２１を開いたときに、蓋部２１が閉塞することを規制するドアラッチ２２が設けられている。また、装置本体２の前面には、電源スイッチ２３と、洗浄の開始を指示するスタートボタン２４とが設けられている。
【００２０】
図２から図４に示すように、装置本体２は、管路を有する医療器具であるオリーフＰを洗浄水に浸漬するために、ステンレス製の洗浄槽３を備えている。
【００２１】
洗浄槽３の一端部の上部には、ＲＯ（Reverse Osmosis：逆浸透）水や、一般的な上水道から供給される市水や、高温に加熱された温水が供給される給水配管３１が接続されている。この給水配管３１には、給水弁３２が設けられている。また、洗浄槽３の一端部の下部には、洗浄槽３を循環する洗浄水の吐水口３３が設けられている。
【００２２】
洗浄槽３の他端部の下部には、洗浄槽３内の洗浄水を排出する排水口３４が設けられている。排水口３４に接続している排水管３４ａには、洗浄槽３内の洗浄水の液位が所定レベルを超えたときに、洗浄水を排水することで洗浄槽３から溢れてしまうことを防止するオーバーフロー３６が接続されている。この液位は、液位監視装置４（図２から図４においては図示せず）によって監視されている。図５に示すように、液位監視装置４は、洗浄槽３の下部に設けられた取水口３７に接続された光透過可能な部材で形成されたレベル管４１と、このレベル管４１の液面を光学的に検出して後述する制御装置６へコード６ａを介して通知する液位センサ４２ａ，４２ｂと、取水口３７に設けられた仕切板４３とを備えている。
【００２３】
レベル管４１内に洗浄水の泡が混入すると、液位センサ４２ａ，４２ｂが誤検出するおそれがある。そこで、洗浄槽３の壁面に断面Ｌ字状に形成された仕切板４３を取水口３７の前に設け、泡が侵入する経路となる洗浄槽３の底面との隙間を狭くすることで、泡の通過を規制することができ、レベル管４１内への泡の侵入を抑止することができる。
【００２４】
また、図２から図４に示すように、洗浄槽３の他端部の下部には、吸入管３５ａにノズル３５ｂが設けられた吸入ユニット３５が設けられている。
吸入ユニット３５は、６つのノズル３５ｂが、吸入管３５ａの軸線に沿って、かつ吸入口が洗浄槽３の中央に向くように、列状に配置されている。このノズル３５ｂは、未接続状態にあるときには流路が閉じるように機能する弁付き接続継手である。
【００２５】
吸入管３５ａには、ノズル３５ｂから洗浄水を吸引する吸引ポンプ５が接続されている。この吸引ポンプ５は、吸入管３５ａを介して吸引した洗浄水を、吐水口３３から吐水することで、洗浄槽３内の洗浄水を循環させている。
洗浄槽３の底面は、吐水口３３が設けられている一端部から、排水口３４が設けられている他端部に向かって下るような傾斜面に形成されている。排水口３４からの排水は、排水管３４ａに設けられた排水弁３４ｂによって制御される。
【００２６】
吸引ポンプ５は、制御装置６によって吸引の開始および停止が制御される。制御装置６は、吸引ポンプ５の制御の他に、給水弁３２の開閉、排水弁３４ｂの開閉等を制御する機能を備えている。
【００２７】
吸入ユニット３５のノズル３５ｂには、器具接続アダプタ７が接続されている。この器具接続アダプタ７と、吸入ユニット３５とで吸引部が構成されている。
【００２８】
器具接続アダプタ７は、図２および図６に示すように、アダプタ本体７１と、アダプタ本体７１にオリーフＰを接続する接続管７２と、アダプタ本体７１をノズル３５ｂに接続する接続チューブ７３とを備えている。
【００２９】
アダプタ本体７１は、一面側に突設された７本の入水管７１ａと、一面側と反対となる他面側に突設された２本の出水管７１ｂと、出水管７１ｂおよび接続チューブ７３を接続する本体側コネクタ７１ｃを備えた中空のステンレス製の箱体である。
【００３０】
接続管７２は、一端側から他端側まで内径および外径が変わらないチューブであり、入水管７１ａとオリーフＰとのそれぞれの外周面に密着するように軟質のシリコンチューブで形成されている。
【００３１】
接続チューブ７３は、本体側コネクタ７１ｃと、ノズル３５ｂのコネクタとを連通した状態で接続するために、チューブの両端にコネクタが形成された通水管である。
【００３２】
ここで、接続管７２の接続について、図７に基づいて詳細に説明する。
図７に示すように、先頭の接続管７２は、一端がアダプタ本体７１の入水管７１ａに連通した状態で嵌め込まれている。入水管７１ａは円筒形に形成されているので、入水管７１ａの外周面全体を、同じ円筒形に形成された接続管７２に内周面に密着させることができる。そして、先頭の接続管７２の他端には、先端に向かうに従って徐々に縮径するオリーフＰ１が嵌め込まれている。
【００３３】
入水管７１ａに取り付けられた接続管７２に接続されたオリーフＰ１の基端に、更に接続管７２が２番目として嵌め込まれている。このように接続管７２とオリーフＰ（Ｐ１〜Ｐ４）とを交互に嵌め込むことで、オリーフＰが連通した状態で数珠繋ぎのように縦続接続されている。つまり、図２および図６に示すように、１本の入水管７１ａに対して４本のオリーフＰが接続されているので、１つの器具接続アダプタ７には２８本のオリーフＰが接続され、全体としては８４本のオリーフＰが接続されている。
【００３４】
以上のように構成された本発明の実施の形態に係る洗浄装置１の使用状態を図面に基づいて説明する。
まず、作業者は、２つのノズル３５ｂに接続する器具接続アダプタ７を３つ接続する。この器具接続アダプタ７には、入水管７１ａに接続管７２が嵌め込まれているものとする。器具接続アダプタ７の接続が完了すると、接続管７２に洗浄が必要なオリーフＰ１の一端を嵌め込み接続する。そしてオリーフＰ１の他端に接続管７２を嵌め込み、次にオリーフＰ２を嵌め込む。このようにオリーフＰ１〜Ｐ７と接続管７２との接続を交互に繰り返し、オリーフＰ１からオリーフＰ７までを連通した状態で接続する。
【００３５】
次に、作業者は、電源スイッチ２３により洗浄装置１の電源を投入して、スタートボタン２４を押下することで、制御装置６が洗浄を実施する。洗浄は、まず、制御装置６が給水弁３２を開放することで、薬液が入った洗浄水を液位監視装置４からの情報に基づいて所定液位となるまで給水することから開始される。給水が完了すると、吸引ポンプ５を稼働させて洗浄液を循環させる。吸引ポンプ５の吸引は、吸入ユニット３５のノズル３５ｂを介して器具接続アダプタ７に伝達される。器具接続アダプタ７には、４本が１組となって縦続接続されたオリーフＰ１〜Ｐ４が７組接続されているので、４本のオリーフＰによって形成された管路に洗浄水を通過させるためには、相当な吸引力が必要である。本実施の形態では、器具接続アダプタ７は、２つのノズル３５ｂに接続する器具接続アダプタ７を使用しているので、１つのノズル３５ｂに接続するものより２倍の吸引力を確保することができる。従って、多数のオリーフＰを接続する場合でも、吸引力が低下してしまうことを防止することができる。
また、洗浄槽３の底面は、洗浄水の吸引方向に向かって下るように傾斜しているので、オリーフＰ内を流水する洗浄水が下るように吸引されるので、洗浄効果を向上させることができる。
【００３６】
循環による洗浄は、吸引ポンプ５による２分間の稼働と５分間の停止とを１サイクルとして、３サイクルを行う。このサイクルは、制御装置６にプログラミングすることで実行される。このように洗浄の１サイクルとして、オリーフＰの管路を洗浄水が流水する期間と、滞留する期間とを設けることで、除去しきれない付着物を洗浄水が滞留する期間に浮き上がらせ、次の洗浄水が流水する期間に浮き上がった付着物を流出させて除去することができるので、洗浄力を向上させることができる。
【００３７】
循環による洗浄が完了すると、制御装置６は排水口３４を開放して洗浄水を排水する。洗浄槽３の底面は、吐水口３３が設けられている一端部から、排水口３４が設けられている他端部に向かって下るような傾斜面に形成されているので、速やかな排水が可能である。
【００３８】
制御装置６は、排水を行った後に、すすぎ、および吸引による乾燥を行って洗浄を完了する。このように本実施の形態に係る洗浄装置１は、洗浄が必要な多数のオリーフＰを接続管７２により縦続接続することで、全てのオリーフＰ内の管路に洗浄水を十分通水させることができる。従って、一纏めにすれば嵩張るようなオリーフＰであっても、一度に数多く接続することができるので、オリーフＰを確実に洗浄できる。従って、数多くのオリーフＰを短時間に洗浄でき、二次感染を予防することができる。
【００３９】
次に、本発明の他の実施の形態に係る接続管を、図８から図１０に基づいて説明する。図８は、本発明の他の実施の形態に係る接続管を示す図であり、（Ａ）は斜視図、（Ｂ）は分解斜視図である。図９は、他のオリーフを示す図である。図１０は、接続管の一例を示す図である。
【００４０】
図８に示すように、接続管８は、オリーフなどの医療器具を連通した状態で、縦続接続するためのもので、第１接続管（第１の接続部）８１と、第２接続管（第２の接続部）８２と、中間接続部８３とで形成されている。
【００４１】
第１接続管８１と第２接続管８２とは、内径が異なっているが、同じ軟質のシリコンチューブで形成されている。中間接続部８３は、硬質のポリプロピレンで切削加工により形成されている。
【００４２】
洗浄のために縦続接続される医療器具が、接続管を挟んで一端側と他端側とで接続管の開口径が同じであっても接続することができれば、内径が変わらないシリコンチューブである接続管７２を採用することができる。しかし、例えば、図９に示されるような２つの鼻孔に挿入する小児用のオリーフＰｘである場合には、より開口径の大きな接続管が必要となる。従って、例えば、図６に示されるオリーフＰに、図９に示されるオリーフＰｘを縦続接続する場合には、図８に示される接続管８を用いることで容易に接続することが可能である。
【００４３】
一端側の開口径が他端側の開口径より大きい接続管としては、図１０に示すような一端側９ａから他端側９ｂに向かうに従って内径が徐々に縮径するようなチューブ（接続管９）とすることも可能である。しかし、接続管９の他端側９ｂは、開口部より奥に向かうに従って拡径しているので、医療器具を接続したときに他端側９ｂの開口部分では医療器具の外周面に接触させた状態とすることができるが、奥に向かうに従って隙間ができるおそれがあり、密着度が低い。また、接続管９をシリコンチューブ製の一体成型品とすることも可能であるが、金型の製作に多大なコストがかかる。
【００４４】
図８に示す接続管８であれば、第１接続管８１と第２接続管８２とは内径が変わらない軟質部材なので、医療器具を奥深くまで挿入すると、開口部が弾性変形して内径が広がることで、第１接続管８１と第２接続管８２との内周面を、医療器具の挿入した部分の外周面全体に密着させることができる。従って、医療器具の接続部分が多少異形であっても、接続管８と医療器具と密着面を広く確保することができるので、洗浄水が漏れを最小限に押させたり防止したりすることで、洗浄力の低下を抑制することができる。また、内径が変わらないシリコンチューブの長さを調整して第１接続管８１および第２接続管８２とし、ポリプロピレンを切削加工したものを中間接続部８３とすることで安価に形成することが可能である。
更に、第１接続管８１と第２接続管８２とは、中間接続部８３から簡単に取り外すことができるので、接続する医療器具に応じた形状の接続管や、複数に分岐する接続管に簡単に付け替えることができる。なお、中間接続部８３の材質については、ポリプロピレンとする以外に、耐熱および耐腐食性を有し、かつ第１接続管８１および第２接続管８２を容易に接続できるように、第１接続管８１および第２接続管８２より硬質のものであれば使用することができる。
【００４５】
以上、本発明の実施の形態について説明してきたが、本発明は前記実施の形態に限定されるものではない。本実施の形態では、図６に示すように、入水管７１ａに嵌め込まれた接続管７２を同じものを使用してオリーフＰを縦続接続しているが、オリーフＰの種類に応じて太さの異なる接続管や、２分岐または３分岐、それ以上に分岐する接続管を使用することができる。
【産業上の利用可能性】
【００４６】
本発明は、洗浄が必要な管路を有する医療器具の洗浄装置に好適である。特に、洗浄槽の長さ方向にできるだけ数多くの医療器具を縦続接続して収納することで一度に洗浄することが可能なので、オリーフのように長さの短い医療器具に最適である。また、本発明の洗浄装置は、口腔や鼻孔に入れて唾液、鼻汁などの体液や、薬液や、洗浄液などを吸い出す際に使用される吸引嘴管や医療用チューブ、腹部などを切開して手術する際に使用される外科用手術器具の洗浄にも最適である。
【図面の簡単な説明】
【００４７】
【図１】本発明の実施の形態に係る医療器具の洗浄装置の外観図であり、（Ａ）は平面図、（Ｂ）は正面図、（Ｃ）は右側面図である。
【図２】図１に示す洗浄装置の内部の状態を示す平面図である。
【図３】図１に示す洗浄装置の内部の状態を示す正面図である。
【図４】図１に示す洗浄装置の内部の状態を示す右側面図である。
【図５】液位監視装置を示す斜視図である。
【図６】器具接続アダプタを示す図であり、（Ａ）は正面側から見た斜視図、（Ｂ）は背面側から見た斜視図である。
【図７】接続管とオリーフとが縦続接続した状態を示す平面図である。
【図８】本発明の他の実施の形態に係る接続管を示す図であり、（Ａ）は斜視図、（Ｂ）は分解斜視図である。
【図９】他のオリーフを示す図である。
【図１０】接続管の一例を示す図である。
【符号の説明】
【００４８】
１  洗浄装置
２  装置本体
２１  蓋部
２１ａ  透明部材
２１ｂ  把手
２１ｃ  蝶番
２２  ドアラッチ
２３  電源スイッチ
２４  スタートボタン
３  洗浄槽
３１  給水配管
３２  給水弁
３３  吐水口
３４  排水口
３４ａ  排水管
３４ｂ  排水弁
３５  吸入ユニット
３５ａ  吸入管
３５ｂ  ノズル
３６  オーバーフロー
３７  取水口
４  液位監視装置
４１  レベル管
４２ａ，４２ｂ  液位センサ
４３  仕切板
５  吸引ポンプ
６  制御装置
７  器具接続アダプタ
７１  アダプタ本体
７１ａ  入水管
７１ｂ  出水管
７１ｃ  本体側コネクタ
７２  接続管
７３  接続チューブ
８  接続管
８１  第１接続管
８２  第２接続管
８３  中間接続部
９  接続管
９ａ  一端側
９ｂ  他端側
Ｐ，Ｐ１〜Ｐ４，Ｐｘ  オリーフ
【図１】
2009000359.tif 000003
【図２】
2009000359.tif 000004
【図３】
2009000359.tif 000005
【図４】
2009000359.tif 000006
【図５】
2009000359.tif 000007
【図６】
2009000359.tif 000008
【図７】
2009000359.tif 000009
【図８】
2009000359.tif 000010
【図９】
2009000359.tif 000011
【図１０】
2009000359.tif 000012